(57)【要約】      （修正有）【課題】チューブまたは血流管がねじれることを防止し、必要な結合力を確保し、時間がかかるチェックや結合のやり直しを回避することが可能な連結器を提供する。【解決手段】医療機器における二つの液体ガイド部分２４を液密の状態で結合する連結器であって、医療用連結器は軸方向においてロック可能であり、すぐに連結可能な連結器であり、医療用連結器は、連続する第一通路１０を有する雄連結器部分６と、雄連結器部分に対して嵌合するようになっており、かつ、連続する第二通路２６を有する雌連結器部分４と、を備えており、雄連結器部分の外周及び／または雌連結器部分の内周には半径方向円周シール２０が設けられている連結器を開示する。【選択図】図１
2017148493.tif 000002
【特許請求の範囲】
【請求項１】
医療機器における二つの液体ガイド部分（１６、２４、２４′）を液密の状態で結合する医療用連結器であって、
前記医療用連結器は軸方向においてロック可能であり、すぐに連結可能な連結器であり、
前記医療用連結器は、連続する第一通路（１０、１０′、１０″）を有する雄連結器部分（６、６″）と、前記雄連結器部分（６、６″）に対して嵌合するようになっており、かつ、連続する第二通路（２６、３８）を有する雌連結器部分（４、４″、３４）と、を備えており、
前記雄連結器部分（６、６″）の外周及び／または前記雌連結器部分（４、４″、３４）の内周には半径方向円周シール（２０）が設けられている医療用連結器。
【請求項２】
前記雄連結器部分（６、６″）は医療用機器（１６）と一体的に形成されていることを特徴とする請求項１に記載の医療用連結器。
【請求項３】
前記雄連結器部分（６、６″）は第一係止部分（８）を備えており、前記雄連結器部分（６、６″）は前記第一係止部分（８）を介して医療用機器（１６）と結合されるようになっていることを特徴とする請求項１に記載の医療用連結器。
【請求項４】
前記雄連結器部分（６、６″）の前記第一係止部分（８）は雌内部コーン（１２）を備えているルアーロックであり、このルアーロックは、雄外部コーンを備えている前記医療用機器（１６）のルアーロックに連結可能であることを特徴とする請求項３に記載の医療用連結器。
【請求項５】
前記雌連結器部分（４、４″）は液体流路（２４）と一体に形成されていることを特徴とする請求項１乃至４の何れか一項に記載の医療用連結器。
【請求項６】
前記雌連結器部分（３４）は第２係止部分（３６）を備えており、
前記雌連結器部分（３４）は前記第２係止部分（３６）を介して液体流路（２４）に係止可能であるようになっていることを特徴とする請求項１乃至４の何れか一項に記載の医療用連結器。
【請求項７】
前記雌連結器部分（３４）の前記第２係止部分（３６）は雄内部コーン（４０）を備えるルアーロックであり、このルアーロックは、前記液体流路（２４）の雌内部コーン（４４）を備えるルアーロックに連結可能であることを特徴とする請求項６に記載の医療用連結器。
【請求項８】
前記雄連結器部分（６、６″）は円周溝（１８）を備えており、前記円周溝（１８）には、前記雌連結器部分（４、４″、３４）の一部、好ましくは、少なくとも一つのスナップフック（２８）が係合するものであることを特徴とする請求項１乃至７の何れか一項に記載の医療用連結器。
【請求項９】
前記雄連結器部分（６″）及び前記雌連結器部分（４″）は取り外し器具（４８）により相互に取り外し可能であることを特徴とする請求項１乃至８の何れか一項に記載の医療用連結器。
【請求項１０】
第一の液体流路（２４、２４′）と、
医療用機器（１６）及び／または第二の液体流路と、
を備える医療用システムであって、
前記第一の液体流路（２４、２４′）の内部には第一通路（２６、２６′）が設けられ、前記医療用機器（１６）及び／または前記第二の液体流路の内部には第二通路（１０、１０′、１０″）が設けられ、
前記第一の液体流路（２４、２４′）と前記医療用機器（１６）及び／または前記第二の液体流路とは、請求項１乃至９の何れか一項に記載の医療用連結器を介して、前記第一通路（２６、２６′）及び前記第二通路（１０、１０′、１０″）が相互にシーリングし合うように、相互に連結可能である医療用システム。
【発明の詳細な説明】
【技術分野】
【０００１】
本発明は、医療機器における二つの液体ガイド部分を液密の状態で結合する医療用連結器に関する。この医療用連結器は、体外血管システムを体外血流処理装置や透析装置に結合することを可能にするものである。本発明は、さらに、この医療用連結器を備える医療用システムに関する。
【背景技術】
【０００２】
体外血液処理療法やその他の腎臓置換療法においては、患者から取り出された血液は患者の体外において連続的に透析装置を介して循環された後、再び患者に戻される。このためには、患者の血液を運ぶ体外血流システムを透析装置に結合することが必要になる。この結合はルアーロックを介して行われることが多い。
【０００３】
例えば、ドイツ特許公報DE 60 2004 003 477 T2 にあるように、チューブを医療機器に結合する医療用連結器が知られている。この医療用連結器は、その一端にルアーロックを有しており、このルアーロックを介して、他の医療機器に結合される。この医療用連結器は他端においてチューブに密に結合されているか、あるいは、この医療用連結器にチューブが接着されている。
【先行技術文献】
【特許文献】
【０００４】
【特許文献１】ドイツ特許公報DE 60 2004 003 477 T2
【発明の概要】
【０００５】
ルアーロックを介して血流管が透析装置その他の医療機器に結合されるシステムにおいては、次のような問題が生じる。例えば、血流管がねじれることがあり、これによって、ネジ止めされているネジが緩むことがあり、しかも、ネジの緩みが発見されない。このような問題には、透析装置のルアーロックがチューブに強く結合されていないという技術的な理由がある。ルアーロックが熱膨張を起こすと、摩擦力が減少し、その結果として、ネジが自然に締まる。チューブとルアーロックとが強く結合すると、ネジを緩める力がチューブによって継続的にネジに作用することとなる。さらに、ネジ止めの状態の良否は医療スタッフにも依存する。すなわち、治療の途中において、正常に結合しているかどうかを確認するためにネジ止めの状態をチェックすることが必要であり、必要に応じて、医療スタッフがネジ止めをやり直すことが必要になってくる。
【０００６】
従って、本発明の目的は、チューブまたは血流管がねじれることを防止し、使用者の行動にかかわりなく必要な結合力を確保し、時間がかかるチェックや結合のやり直しを回避することが可能な連結器を提供することにある。
【０００７】
この目的は請求項１の特徴を備える医療用連結器及び請求項１０の特徴を備える医療用システムにより達成される。従属項には、さらに有効に改良された連結器及びシステムが記載されている。
【０００８】
本発明に係る医療用（液体）連結器は、医療機器における（少なくとも）二つの液体ガイド部分を液密の状態で結合する医療用連結器であって、軸方向においてロック可能であり、すぐに連結可能な連結器であり、連続する第一通路を有する雄連結器部分と、雄連結器部分に対して嵌合するようになっており、かつ、連続する第二通路を有する雌連結器部分と、を備えている。さらに、雄連結器部分の外周及び／または雌連結器部分の内周には半径方向円周シールが設けられている。
【０００９】
このため、本発明に係る医療用連結器は、例えば、液体流路と医療用機器または液体をガイドする部分の一例としての他の二つの液体流路とを容易に相互に連結することを可能にする。この医療用連結器は雄連結器部分と雌連結器部分とを連結することにより完成する。このため、雄連結器部分は、連続した内部通路を含む円筒型の凸型構造として形成される。雌連結器部分は、雄連結器部分の一部または全部を収容可能なスリーブ型として形成される。
【００１０】
雄連結器部分と雌連結器部分とを連結させる際には、雌連結器部分をスリーブの軸方向において円筒型凸型構造の雄連結器部分に滑り込ませる。このようにして、二つの連結器部分は（永久的に）相互に係合する。腎臓置換療法に用いる場合には、例えば、体外血流システムと透析装置とは、治療開始後においては、切り離されることはない。このため、永久的に連結させることは悪いことではない。さらに、雄連結器部分と雌連結器部分との間に半径方向のシールを配置することにより、二つの連結器部分、ひいては、二つの液体ガイド部分がシールされた状態で内部結合することになる。
【００１１】
以上のように構成された連結器により、二つの液体ガイド部分を短時間で、かつ、容易に連結させることが可能になる。この目的を達成するために、他の部品を追加で必要とすることはない。さらに、時間のかかるネジ止めや二つの連結器部分を相互に回転させることなどの作業も不要である。二つの連結器部分が相互に独立に外れたり、緩んだりすることはないので、二つの連結器部分は安全に結合される。さらに、半径方向のシールが配置されているため、雄連結器部分に対して雌連結器部分をその長手方向軸の回りに回転させることも可能である。
【００１２】
本発明の一態様においては、雄連結器部分は医療用機器または医療器具、特に、透析装置または体外血液処理装置と一体的に形成することが可能である。
【００１３】
このように、医療用機器への結合のために他の部品を追加で必要とすることはなく、単純かつ廉価で、少数の部品からなる構造を実現することができる。
【００１４】
本発明の一態様においては、雄連結器部分は第一係止部分を備えることができる。
【００１５】
本発明の一態様においては、雄連結器部分はこの第一係止部分を介して医療用機器と結合するようにすることができる。
【００１６】
本発明の一態様においては、雄連結器部分の第一係止部分はルアーロックとすることが可能であり、このルアーロックに医療用機器のルアーロックを結合させるようにすることができる。
【００１７】
本発明の一態様においては、雄連結器部分の第一係止部分は、医療用機器の雄外部コーンに連結可能な雌内部コーンを備えたルアーロックとして構成することが可能である。
【００１８】
第一係止部分を介して雄連結器部分を医療用機器に連結することにより、本発明に係る医療用連結器を既存の医療用機器に対しても使用することが可能になる。換言すれば、雄連結器部分を、アダプターの一つとしてのネジを用いて、例えば、医療用機器のルアーロックにネジ止めすることが可能であり、このようにして、雄連結器部分を介して医療用機器を雌連結器部分に連結することができる。
【００１９】
本発明の一態様においては、雄連結器部分の第一係止部分は、医療用機器の外ネジに結合可能であるようになっている内ネジとして構成することが可能である。
【００２０】
このため、雄連結器部分は、例えば、ネジにより医療用機器のハウジングにネジ止め可能な当該医療用機器のカバーの一部として構成することも可能である。
【００２１】
本発明の一態様においては、雌連結器部分は液体流路と一体に形成することができる。
【００２２】
このように、液体流路への結合のために他の部品を追加で必要とすることはなく、単純かつ廉価で、少数の部品からなる構造を実現することができる。
【００２３】
本発明の一態様においては、雌連結器部分は第２係止部分を備えるものとすることができる。
【００２４】
本発明の一態様においては、雌連結器部分は第２係止部分を介して液体流路に係止可能であるように構成することが可能である。
【００２５】
本発明の一態様においては、雌連結器部分の第２係止部分は、液体流路のルアーロックに結合可能になっているルアーロックとして構成することができる。
【００２６】
本発明の一態様においては、雌連結器部分の第２係止部分は雄内部コーンを備えるルアーロックとして構成することができ、この雄内部コーンには、液体流路の雌内部コーンを有するルアーロックが連結可能であるようになっている。
【００２７】
雌連結器部分は第２係止部分を介して液体流路に結合されるため、本発明に係る医療用連結器は既存の液体流路にも用いることが可能になっている。換言すれば、雄連結器部分を、結合手段の一つとしてのネジを用いて、例えば、液体流路のルアーロックにネジ止めすることが可能であり、このようにして、雌連結器部分を介して液体流路を雄連結器部分に連結することができる。
【００２８】
本発明の一態様においては、雄連結器部分は、雌連結器部分の一部が係合する円周溝を備える。
【００２９】
本発明の一態様においては、雄連結器部分は、少なくとも雌連結器部分のスナップフックが係合する円周溝を備える。
【００３０】
このように、単純な方法により、雄連結器部分と雌連結器部分とを安全に、かつ、緊密に連結させることが可能である。雌連結器部分を可塑性の材料でつくることは有効である。これにより、雌連結器部分を雄連結器部分の内部に挿入する際に、損傷させることなく、雌連結器部分を半径方向に大きくすることが可能になる。スナップフックが溝と重なると、双方が係合し、これにより、二つの連結器部分が連結される。なお、リング状の連結用スナップその他の連結用スナップを用いて、二つの連結器部分を連結させることも可能である。
【００３１】
本発明の一態様においては、雄連結器部分と雌連結器部分とはロック用器具を介して相互に連結させることも可能である。
【００３２】
本発明の一態様においては、このロック用器具は雄連結器部分に設けることができる。
【００３３】
本発明の一態様においては、このロック用器具は雌連結器部分に設けることができる。
【００３４】
ロック用器具は、連結用スナップとは別の、雄連結器部分と雌連結器部分とを相互に連結させるための他の手段である。ロック用器具は、例えば、レバーを介して作動するピンが溝の内部に嵌まるように構成することができる。このように、ロック用器具は、雌連結器部分の材料に過大な負荷を及ぼすことなく、あるいは、例えば、シール材を損傷させることなく、安全に雄連結器部分と雌連結器部分とを連結する。
【００３５】
本発明の一態様においては、雄連結器部分は、雌連結器部分の軸方向における動きを制限するストッパまたはショルダを備えることが可能である。
【００３６】
ショルダを設けることにより、雄連結器部分上において雌連結器部分がシフトする距離を予め固定させることが可能である。例えば、溝とスナップフックを備える上記の構造を用いる場合、ショルダを設けることにより、スナップフックが溝から滑り出して溝から外れないようにすることができる。
【００３７】
本発明の一態様においては、雄連結器部分及び雌連結器部分は取り外し器具により相互に取り外すことが可能である。
【００３８】
本発明の一態様においては、この取り外し器具は雄連結器部分に設けることができる。
【００３９】
本発明の一態様においては、この取り外し器具は雌連結器部分に設けることができる。
【００４０】
本発明の一態様においては、ロック用器具と取り外し器具とは同様の形状とすることができる。
【００４１】
このように、取り外し用キーまたはレバーを用いて、相互に連結している雄連結器部分及び雌連結器部分を非破壊的に取り外すことができる。あるいは、二つの連結器部分の連結及び取り外しはそれぞれロック用器具または取り外し器具を用いて行うことも可能である。
【００４２】
本発明に係る医療用システムは、第一の液体流路と、医療用機器及び／または第二の液体流路と、を備える。第一の液体流路の内部には第一通路が設けられ、医療用機器及び／または第二の液体流路の内部には第二通路が設けられている。第一の液体流路と医療用機器及び／または第二の液体流路とは、本発明に係る医療用連結器を介して、第一通路と第二通路とがシールされた状態で相互に連結されるように、相互に連結させることが可能である。
【００４３】
この医療用システムにおいては、医療用連結器は少なくとも二つの液体ガイド部分を内部結合させ、液体が一のラインから医療用機器または他のラインへ、あるいは、医療用機器または他のラインから一のラインへ流れるようにする。このため、医療用連結器は一つまたは二つ以上の上記の態様及び利点を有する。
【００４４】
要約すれば、本発明に係る医療用連結器及び本発明に係る医療用システムは、ユーザーの使いやすさ、特に、腎臓置換療法におけるユーザーの使いやすさを向上させるものであり、準備のための時間をも短縮する。さらに、血流管が捩じれることを防止するとともに、療法実施中に自然に緩むことのない、捩じり力に影響されない連結を実現するものである。このように、時間がかかる、ユーザーによる連結状態のチェック及び修正はもはや不要であり、患者に対するリスクを伴う血液のロスに気がつかないこともなくなり、療法実施中における血圧測定の間違いも防止することができる。
【図面の簡単な説明】
【００４５】
【図１】第一の実施形態に係る連結スリーブが結合されているアダプターの断面図である。
【図２】第二の実施形態に係る連結スリーブが結合されている医療用機器の断面図である。
【図３】第三の実施形態に係る連結スリーブであって、取り外し器具を備える連結スリーブが結合されているアダプターの断面図である。
【発明を実施するための形態】
【００４６】
図１は、本発明の第一の実施形態に係る医療用連結器を示す。ほぼ円筒形のアダプター２と連結スリーブ４とが相互に連結されている。アダプター２は、連結スリーブ４に対向している一端において、雄連結器部分すなわち第一連結器部分６と、連結スリーブ４から離れている他端において、第一係止部分８と、を備えている。アダプター２は、さらに、連続した第一通路１０を備えており、この第一通路１０は、連結スリーブ４から離れる方向に連結スリーブ４と同軸に広がる部分、すなわち、第一雌ルアーロック内部コーン１２を備えている。さらに、連結スリーブ４から離れている方の第一係止部分８の端部には、第一外ネジ部分あるいは第一ネジ部分１４が形成されている。第一雌ルアーロック内部コーン１２及び第一ネジ部分１４を介して、アダプター２を透析装置あるいは体外血液処理装置などの医療用機器１６（図１には図示せず）に結合させることができる。透析装置に結合させる場合には、血液をガイドする管が結合され、体外血液処理装置に結合させる場合には、血液をガイドする管から枝分かれし、空気柱を吸圧器に導く血圧ラインが結合される。換言すれば、アダプター２は、雄外部コーンを備える補助装置の各ルアーロックに留めることが可能である。
【００４７】
第一連結器部分６は円周溝１８を備えている。さらに、シール部材としてのＯリング２０が円周溝１８と、連結スリーブ４に面している第一連結器部分６の端部との間に配置されている。Ｏリング２０は第一連結器部分６の外周に接しているが、図３に示すように、追加のシール溝の内部に嵌め込むことも可能である。また、Ｏリング２０は、２Ｋインジェクションモールド法により、シール部材として、第一連結器部分６と一体的に形成することもできる。さらに、連結スリーブ４から遠い方の第一連結器部分６の端部に、あるいは、第一連結器部分６と第一係止部分８との間に、半径方向外側に延びるショルダ２２を形成することもできる。
【００４８】
連結スリーブ４は雌連結器部分として機能する。連結スリーブ４には、アダプター２から遠い方の連結スリーブ４の端部に結合している液体流路すなわちチューブ２４が一体的に形成されている。チューブ２４及び連結スリーブ４の内部には第二通路２６が形成されている。さらに、連結スリーブ４の内側表面には、円周方向において等間隔に複数のスナップフック２８が形成されている。なお、スナップフック２８は円周方向に１個のみ形成することも可能である。
【００４９】
連結スリーブ４がスライド方向ＳＲにスライドすると、すなわち、アダプター２及び連結スリーブ４の長手方向軸ＬＡに沿ってアダプター２の方向にスライドすると、スナップフック２８が連結スリーブ４に面しているアダプター２の端面３０に当接する。これにより、可塑性材料からなる連結スリーブ４は半径方向に広がり、連結スリーブ４がスライド方向ＳＲにおいてアダプター２すなわち第一連結器部分６にさらに嵌まり込む。軸方向において、すなわち、長手方向軸ＬＡに沿って、スナップフック２８が溝１８と並ぶと、双方が係合し、連結スリーブ４は半径方向に広がっていない元の位置に戻る。これにより、アダプター２のＯリング２０は連結スリーブ４の内部においてシール面３２上で停止する。このようにして、アダプター２の第一通路１０と連結スリーブ４すなわちチューブ２４の第二通路２６との間に、好適な流路が形成される。さらに、ショルダ２２がスライド方向における連結スリーブ４の移動を制限するため、スナップフック２８は溝１８の内部に保持され、従って、連結スリーブ４は安全にアダプター２に連結された状態が維持される。ただし、スナップフック２８が溝１８から外れることなく、かつ、Ｏリング２０がシール面３２上に停まる限りにおいて、アダプター２と連結スリーブ４との間に軸方向の多少の遊びがあってもよい。
【００５０】
本発明に係る医療用連結器すなわち短時間式連結器により、チューブ２４とアダプター２とを備える連結スリーブ４のような二つの液体ガイド部分を緊密に、かつ、外そうとする力の影響を受けずに、短時間で連結させることができる。加えて、Ｏリング２０による半径方向のシールによって、連結スリーブ４とアダプター２とを長手方向軸ＬＡの回りに相互に回転させることも可能である。このように、チューブ２４が捩じれることは防止され、さらに、アダプター２と医療用機器１６との間のルアーロックが外れることもない。また、連結スリーブ４の内部にシール材を設け、連結スリーブ４とアダプター２とが連結した後に、アダプター２のシール面に接触するようにすることも可能である。
【００５１】
図２は本発明の第二の実施形態に係る医療用連結器を示す。第一の実施形態と同一の構成要素には同一の参照符号が付されている。
【００５２】
第二の実施形態においては、アダプター２′は医療用機器１６と一体的に形成されている。すなわち、アダプター２′は医療用機器１６の延長部分であり、連結スリーブ４′に面している医療用機器１６の端部には、第一連結器部分６が雄連結器部分として形成されている。
【００５３】
第二の実施形態においては、連結スリーブ４′は連結器として機能し、このため、連結スリーブ４′はチューブ２４′を医療用機器１６に連結する。連結スリーブ４′は、医療用機器１６に面する端部において、雌連結器部分すなわち第二連結器部分３４を備え、チューブ２４′に面する端部において、第二係止部分３６を備えている。アダプター２′と連結スリーブ４′との連結、すなわち、第一連結器部分６と第二連結器部分３４との連結は第一実施形態の場合と同様にして行われる。
【００５４】
連結スリーブ４′の内部には、長手方向軸ＬＡに沿って、連続する第三通路３８が形成されている。第二係止部分３６はルアーロックを構成している。すなわち、第三通路３８は、チューブ２４′の方向に延びる雄ルアーロック外部コーン４０に囲まれている。さらに、第二係止部分３６の半径方向の外側端部には、内ネジすなわち第二ネジ部分４２が形成されている。
【００５５】
連結スリーブ４′に面しているチューブ２４′の端部は、連結スリーブ４′のルアーロックと結合する相手方のルアーロックとして構成されている。第二通路２６′は連結スリーブ４′に向って連結スリーブ４′と同軸に広がっている。すなわち、第二の雌ルアーロック内部コーン４４が形成されている。さらに、連結スリーブ４′から遠い方のホース２４′の端部には、第二の外ネジすなわち第三ネジ部分４６が形成されている。
【００５６】
第一連結器部分６と連結スリーブ４′とを結合させると、さらには、チューブ２４′と連結スリーブ４′とをルアーロックを介して結合させると、チューブ２４′の内部の第二通路２６から連結スリーブ４′の内部の第三通路３８を介して医療用機器１６の内部の第一通路１０′に至る密な液体通路が形成される。
【００５７】
上述の実施形態においては、チューブ２４と医療用機器１６とを様々な方法で連結している。これらの方法に限らず、種々の連結方法を組み合わせることも可能である。例えば、ルアーロックを介してアダプター２を医療用機器に結合してもよく、あるいは、アダプター２を、ルアーロックを介してチューブ２４′に結合されている連結スリーブ４′に係合させることも可能である。
【００５８】
図３は本発明の第三の実施形態に係る医療用連結器を示す。第一及び第二の実施形態と同一の構成要素には同一の参照符号が付されている。
【００５９】
第三の実施形態においては、連結スリーブ４″は、レバー５０とピン５２とからなる取り外し器具４８をさらに備えている。図３に示すロックの状態においては、レバー５０は長手方向軸ＬＡと平行であり、ピン５２は長手方向軸ＬＡと直交している。レバー５０は、アダプター２″に面している端部において、アダプター２″から遠い方のピン５２の端部に連結されている。さらに、取り外し器具４８は連結スリーブ４″の凹部５４の内部に配置されているとともに、枢軸点５６を介して連結スリーブ４″に連結されている。
【００６０】
連結スリーブ４″をアダプター２″に連結させるためには、レバー５０は、アダプター２″から遠い方の端部において、半径方向内側に移動することが必要になる。これにより、ピン５２は半径方向外側に移動し、連結スリーブ４″はスライド方向ＳＲにおいてアダプター２″ひいては第一連結器部分６″に嵌合する。アダプター２″に面している連結スリーブ４″の前方境界領域５８がショルダ２２に当接すると、軸方向において溝１８がピン５２と重なり合う。レバー５０がリリースされると、すなわち、レバー５０に対する付勢力が解除されると、レバー５０は長手方向軸ＬＡと平行な元の位置に戻り、ピン５２は溝１８に入り込む。これにより、アダプター２″と連結スリーブ４″とが相互に連結される。アダプター２″と連結スリーブ４″との連結を解除するためには、レバー５０を付勢する、すなわち、半径方向内側に回動させる。これにより、ピン５２は溝１８から抜け出し、連結スリーブ４″はスライド方向ＳＲとは反対の方向にアダプター２″から抜け出ることが可能になる。
【００６１】
このように、本実施形態の医療用連結器は軸方向において取り外すことが可能になっている。なお、取り外しは、取り外しレバーに代えて、取り外しキーその他同様の手段を用いても実行可能である。上述の第三の実施形態においては、ロック解除器具４８は連結スリーブ４″に配置されている。この取り外し器具４８をアダプター２″に配置することも可能である。
【００６２】
以下、第一及び第二の実施形態との比較における第三の実施形態の変更及び有効な改良について説明する。
【００６３】
第三の実施形態においては、Ｏリング２０はシール溝６０の内部に収容されている。これにより、シール部材が半径方向に拡張することを制限することができる。連結スリーブを連結させるときに、スナップフック２８がスライドしながらＯリング２０を適切に通過するように構成することにより、Ｏリング２０をシール溝６０の内部に収容する構造は第一及び第二の実施形態にも適用可能である。
【００６４】
さらに、第三の実施形態においては、アダプター２″の端面３０は連結スリーブ４″に対しては直接的には接していない。第一連結器部分６″を収容可能な、半径方向外側に広がる収容開口部６２がアダプター２″の方向において第二通路２６と結合されている。第一通路１０″も連結スリーブ４″に向って半径方向外側に広がっている。
【００６５】
さらに、第三の実施形態に設けられるロック及び取り外し器具４８の数は１個には限定されない。２個または３個以上のロック及び取り外し器具４８を設けることが可能であり、それらは円周方向に等間隔に配置することが好ましい。さらに、第三の実施形態におけるアダプター２″は、第一の実施形態におけるアダプター２と同様に、医療用機器１６に結合することもでき、あるいは、第二の実施形態におけるアダプター２′と同様に、医療用機器１６と一体的に形成することもできる。
【図１】
2017148493.tif 000003
【図２】
2017148493.tif 000004
【図３】
2017148493.tif 000005
【外国語明細書】
2017148493000001.pdf